(57)【要約】【課題】ユーザがポーズを確認しながら複数のカメラアングルで同一のタイミングでの写真撮影を簡易な構造で容易に実行できる写真撮影装置を提供する。【解決手段】写真撮影装置が備える対物ミラー２１（２１ｂ，２１ｇ）が、被写体からの入射光を反射し、対物ミラー２１の反射光をリレーションミラー２２（２２ｂ，２２ｇ）が反射する。カメラ１８は、被写体からの入射光とリレーションミラー２２の反射光とを受光する。カメラ１８が受光した光に基づく映像は、撮影作業中、モニタ１８２に表示される。撮影された映像は、被写体Ｕの正面及び両側面の映像に分離され、分離された映像が写真として夫々出力される。【選択図】        図４
2004165892.tif 000002
【特許請求の範囲】
【請求項１】
入射光を受光して映像を撮影する撮影手段と、光を反射する反射手段とを備え、該反射手段の反射光が前記撮影手段へ入射するよう前記撮影手段及び前記反射手段を配置してあることを特徴とする写真撮影装置。
【請求項２】
前記撮影手段が撮影した映像を、前記反射手段を介して入射した入射光に対応する映像と前記撮影手段へ直接的に入射した入射光に対応する映像とに分離する映像分離手段を備えることを特徴とする請求項１に記載の写真撮影装置。
【請求項３】
前記映像分離手段で分離された複数の映像の内、１又は複数の映像を選択する選択手段を備えることを特徴とする請求項２に記載の写真撮影装置。
【請求項４】
前記映像分離手段で分離された映像を表示する映像表示手段を備えることを特徴とする請求項２又は３に記載の写真撮影装置。
【請求項５】
前記反射手段を移動可能に設けてあることを特徴とする請求項１乃至４の何れかに記載の写真撮影装置。
【請求項６】
前記反射手段を支持する支持手段と、上下方向に立設されたレールとを備え、該レールに前記支持手段が連設されて摺動するよう設けてあることを特徴とする請求項５に記載の写真撮影装置。
【請求項７】
前記反射手段は、１又は複数組の第１反射手段及び第２反射手段で構成されており、また、外部からの光が前記第１反射手段及び前記撮影手段へ夫々直接的に入射し、前記第１反射手段の反射光が前記第２反射手段へ入射し、該第２反射手段の反射光が前記撮影手段へ入射するよう前記第１反射手段及び前記第２反射手段を支持する支持手段を更に備えることを特徴とする請求項１乃至５の何れかに記載の写真撮影装置。
【請求項８】
前記撮影手段が撮影している映像を表示する表示手段を備えることを特徴とする請求項１乃至７の何れかに記載の写真撮影装置。
【発明の詳細な説明】
【０００１】
【発明の属する技術分野】
本発明は、複数のカメラアングルでの写真撮影が可能な写真撮影装置に関する。
【０００２】
【従来の技術】
複数のカメラアングルでの写真撮影を行なう場合、従来の写真撮影装置は、複数のカメラを、各カメラアングルに対応する位置に夫々配置し、各カメラが写真撮影を行なうよう構成される（例えば、特許文献１〜４参照）。この場合、複数のカメラの内、所要のカメラアングルに対応する１個のカメラのみで写真撮影を行なったり、複数のカメラで同時的に写真撮影を行なったりする。
【０００３】
【特許文献１】
実用新案登録第３０４９５５３号公報
【特許文献２】
特開平１１−１６０７８５号公報
【特許文献３】
特開平１１−２３４６０３号公報
【特許文献４】
特開２００１−１００３０４号公報
【０００４】
【発明が解決しようとする課題】
しかしながら、複数のカメラを備える従来の写真撮影装置は、各カメラを制御する際に生じる信号の遅延、又は各カメラのシャッタが切られる時間差等によって、同一のタイミングでの写真撮影が困難であり、複数のカメラが夫々撮影している現在の映像（ライブ映像）を表示するモニタを備える場合であっても、同一のタイミングのライブ映像の表示が困難であるという問題があった。更に、従来の写真撮影装置は、カメラの台数分だけカメラ毎の光学バランスを調整する必要があって、構造が複雑になり、コストが嵩むという問題もあった。
【０００５】
複数のカメラアングルでの写真撮影を１台のカメラで行なう場合、まず、一のカメラアングルでの写真撮影を行ない、次いで、カメラを移動させ、他のカメラアングルでの写真撮影を行なう写真撮影装置が考えられる。しかしながら、このような写真撮影装置は、カメラを移動させる機構を必要とし、また、同一のタイミングでの写真撮影ができないという問題があった。
更に、カメラに対する被写体のアングルを変更することによって、複数のカメラアングルでの写真撮影を１台のカメラで行なう写真撮影装置は、同一のタイミングでの写真撮影ができず、また、いちいち被写体（ユーザ）のアングルを変更する行為をユーザに強い、ユーザの写真撮影作業が繁雑になるという問題があった。
【０００６】
本発明は斯かる問題を解決するためになされたものであり、撮影手段と、該撮影手段に反射光を入射させる反射手段とを備えることにより、複数のカメラアングルで、同一のタイミングでの写真撮影を、簡易な構造で容易に実行できる写真撮影装置を提供することを目的とする。
【０００７】
【課題を解決するための手段】
第１発明に係る写真撮影装置は、入射光を受光して映像を撮影する撮影手段と、光を反射する反射手段とを備え、該反射手段の反射光が前記撮影手段へ入射するよう前記撮影手段及び前記反射手段を配置してあることを特徴とする。
【０００８】
第１発明にあっては、撮影手段（例えばカメラ）と反射手段（例えば鏡）とを、複数のカメラアングルに対応する位置に夫々配置する。この場合、一のカメラアングルに対応する被写体の情報を有する光が、撮影手段へ直接的に（即ち反射手段に反射することなく）入射し、他のカメラアングルに対応する被写体の情報を有する光が反射手段に反射してから撮影手段へ入射する。このようにして、１個の撮影手段が、同一のタイミングで複数のカメラアングルに対応する映像を含む映像を撮影する。
以上のような写真撮影装置は、複数のカメラアングルで撮影する場合であっても、複数の撮影手段、又は、単数の撮影手段を移動させる手段等を備えないため、構造が簡易であり、また、被写体自身のアングルの変更をユーザに強いないため、撮影が容易である。
【０００９】
第２発明に係る写真撮影装置は、前記撮影手段が撮影した映像を、前記反射手段を介して入射した入射光に対応する映像と前記撮影手段へ直接的に入射した入射光に対応する映像とに分離する映像分離手段を備えることを特徴とする。
【００１０】
第２発明にあっては、複数のカメラアングルに対応する映像を含む映像（例えば被写体の正面視の映像と側面視の映像とが一体化している映像）を、映像分離手段が、反射手段を介して入射した入射光に対応する映像と撮影手段へ、反射手段に反射せず直接的に入射した入射光に対応する映像とに分離することによって、複数のカメラアングルに夫々対応する映像（この場合、被写体の正面視の映像と側面視の映像との個別の映像）に分離する。このようにして、写真撮影装置は、１個の撮影手段から、同一のタイミングで複数のカメラアングルに夫々対応する映像を得ている。
【００１１】
第３発明に係る写真撮影装置は、前記映像分離手段で分離された複数の映像の内、１又は複数の映像を選択する選択手段を備えることを特徴とする。
【００１２】
第３発明にあっては、映像分離手段で分離された複数の映像（例えば、被写体の正面視の映像と左右夫々の側面視の映像との個別の映像）の内、１又は複数の映像を選択手段で選択する。選択手段は、カメラアングル又は映像の品質等に応じて所定の映像を選択するよう構成してあっても良く、外部からの情報（例えばユーザの命令）を受け付けて、受け付けた情報（命令）に対応する映像を選択するよう構成してあっても良い。
以上のような写真撮影装置は、必要とされる映像のみを選択し、選択手段で選択された映像を写真として出力する印刷手段を備えることによって、必要とされる写真のみを出力するため、不要な映像を写真として出力することを防止している。
【００１３】
第４発明に係る写真撮影装置は、前記映像分離手段で分離された映像を表示する映像表示手段を備えることを特徴とする。
【００１４】
第４発明にあっては、映像分離手段で分離された複数の映像（例えば、被写体の正面視の映像と左右夫々の側面視の映像との個別の映像）の内、１又は複数の映像を映像表示手段で表示する。このような写真撮影装置のユーザは、映像表示手段に表示された映像を見て、映像の出来／不出来を確認する。
また、写真撮影装置が、ユーザの命令を受け付けて、受け付けた命令に対応する映像を選択する選択手段を備える場合、映像表示手段に表示された映像は、ユーザの映像選択を容易にする。
【００１５】
第５発明に係る写真撮影装置は、前記反射手段を移動可能に設けてあることを特徴とする。
【００１６】
第５発明にあっては、反射手段を適宜移動させて反射手段の配置を変更する。反射手段の反射光が撮影手段へ入射する範囲内で反射手段が移動する場合、撮影手段は、移動前とは異なるカメラアングルに対応する映像を撮影する。また、移動後の反射手段の反射光が撮影手段へ入射しない場合、撮影手段は、該撮影手段へ直接的に入射する光を受光して映像を撮影する。即ち、単一のカメラアングルに対応する映像を撮影する。
以上のような写真撮影装置は、反射手段を移動させることによって撮影手段と反射手段との位置関係を変更し、複数のカメラアングルでの写真撮影を可能にしたり、単数のカメラアングルでの写真撮影（通常撮影）を可能にしたりしている。
【００１７】
第６発明に係る写真撮影装置は、前記反射手段を支持する支持手段と、上下方向に立設されたレールとを備え、該レールに前記支持手段が連設されて摺動するよう設けてあることを特徴とする。
【００１８】
第６発明にあっては、レールに沿って支持手段を上下方向へ適宜移動（昇降）させることによって、支持手段に支持されている反射手段を昇降させる。
以上のような写真撮影装置は、反射手段を昇降させることによって撮影手段と反射手段との位置関係を変更し、複数のカメラアングルでの写真撮影を可能にしたり、単数のカメラアングルでの写真撮影を可能にしたりしている。
【００１９】
第７発明に係る写真撮影装置は、前記反射手段は、１又は複数組の第１反射手段及び第２反射手段で構成されており、また、外部からの光が前記第１反射手段及び前記撮影手段へ夫々直接的に入射し、前記第１反射手段の反射光が前記第２反射手段へ入射し、該第２反射手段の反射光が前記撮影手段へ入射するよう前記第１反射手段及び前記第２反射手段を支持する支持手段を更に備えることを特徴とする。
【００２０】
第７発明にあっては、撮影手段と、支持手段に支持された２枚一組の反射手段とを、複数のカメラアングルに対応する位置に夫々配置する。
このような写真撮影装置は、第１反射手段と第２反射手段とで光を２回反射させて撮影手段へ入射させることによって、反射手段を介して撮影手段へ入射した光に対応する映像と、直接的に撮影手段へ入射した光に対応する映像とが左右逆になることを防止している。
【００２１】
第８発明に係る写真撮影装置は、前記撮影手段が撮影している映像を表示する表示手段を備えることを特徴とする。
【００２２】
第８発明にあっては、撮影手段が撮影している映像（ライブ映像）を、表示手段に表示する。この場合、表示手段に表示される映像は、複数のカメラアングルに対応する映像を含む一個の映像であっても良く、複数のカメラアングルに夫々対応する前記複数個の映像であっても良い。このとき、複数のカメラアングルに対応する映像、又は複数のカメラアングルに夫々対応する映像は、同一のタイミングで撮影されている映像である。
このような表示手段を、撮影作業中の被写体又はユーザが視認し易い位置に配置することによって、被写体が、表示手段に表示された各カメラアングルの映像を、目線を逸らしたりポーズを崩したりすることなく確認し、ユーザが、前記映像に満足したときに、プリントアウトすべき映像を写真撮影装置に撮影させるため、写真撮影装置は、撮影の失敗を防止している。
【００２３】
【発明の実施の形態】
以下、本発明をその実施の形態を示す図面に基づいて詳述する。
本実施の形態においては、本発明の写真撮影装置として、アミューズメント施設に設置され、コインの投入後に被写体であるユーザを撮影し、シール形態の写真（シール用紙に印刷された写真）としてプリントアウトするシール自販機を例示するが、これに限定されるものではない。被写体であるユーザは一人でも複数でも良く、被写体は物体であっても良い。また、シール用紙に限らず、写真を印刷可能な記録媒体（紙又はプラスチックシート等）を用いても良い。
本実施の形態の写真撮影装置は、１方向（正面）のカメラアングルで撮影する通常撮影と、９方向のカメラアングルで撮影する９画面撮影とを夫々実行するよう構成されている。
【００２４】
図１は、本発明の写真撮影装置の外観を示す斜視図である。
図中１は、写真撮影装置の筐体である。筐体１は直方体状であって床上に設置されており、筐体１の前面に、操作台１ａが配置されている。
操作台１ａは、上面を筐体１の前方斜め方向に向けており、前記上面は、ユーザが操作し易い高さに位置する。
【００２５】
操作台１ａは、上面に、映像表示手段である操作ディスプレイ１３と、音声又はＢＧＭ等を出力するスピーカ１９１と、ユーザが装置を操作するための操作ボタン１３５，１３５，…と、ユーザが操作ディスプレイ１３上で各種の操作／入力を行なうためのタブレットペン１３２とを備える。このように、操作ディスプレイ１３、タブレットペン１３２及び操作ボタン１３５，１３５，…を、写真撮影作業中のユーザが視認し易く作業し易いところに設けることによって、写真撮影装置は、ユーザの利便性を向上している。
更に、操作台１ａは、前面に、硬貨又は所定のメダル等のコインを投入するためのコイン投入口１４１を備える。
【００２６】
以下では、筐体１の高さ方向の上半分を筐体上部と言い、下半分を筐体下部と言う。
筐体１は、筐体上部に、入射光を受光して映像を撮影する撮影手段としてカメラ１８を内蔵してあり、また、前面両端部に、その前方を照明する照明部１７，１７を周設してあり、更に、側面に、画像が印刷されたシール（写真）を排出するシール取出口１６１を備えている。
カメラ１８は、例えばＣＣＤカメラを用いて構成してあり、カメラ１８の前方に備える集光レンズ１８１（図４参照）へ入射する光を受光することによって映像を取り込み、撮影する。
【００２７】
また、筐体１は、光を反射する反射手段として設けられた８枚の対物ミラー２１（第１反射手段）及び８枚のリレーションミラー２２（第２反射手段）、各ミラーを支持する支持手段としての枠体３、並びに写真撮影装置の各処理を制御する制御機構等を内蔵している。
【００２８】
更に、筐体１は、筐体上部の前面に、左右の照明部１７，１７に挟まれるようにして、矩形の開口部を備える。筐体１は、前記開口部によって外部から内部が視認できるため、前記開口部に、矩形のハーフミラーを用いてなる保護ガラス２３を内嵌してある。
照明部１７，１７は、プラスチック製の照明カバーを透過して光を照射するストロボ１７ａ及びライト１７ｂ（図２参照）を夫々備える。照明部１７，１７の照明によって、通常、筐体１の外部は内部よりも明るいため、保護ガラス２３は鏡として機能し、ユーザが筐体１の内部のカメラ１８及び枠体３等を視認できないようにしている。また、保護ガラス２３が鏡として機能することによって、被写体であるユーザが自分のポーズを確認できるようにしている。
【００２９】
また、筐体１は、内部に、カメラ１８が撮影しているライブ映像を表示する表示手段であるモニタ１８２を備える。モニタ１８２は、正面視がカメラ１８の下部近傍（後述するリレーションミラー２２ｅの配置位置と略同一）に配置され、表示画面を保護ガラス２３側に向けて、保護ガラス２３に貼り付けられている。モニタ１８２は、光源を有する表示手段（例えば液晶表示パネル及びバックライト）、又は自発光型の表示手段（例えば有機ＥＬ表示パネル）で構成されている。このため、モニタ１８２の表示内容（即ちライブ映像）は、保護ガラス２３を透過し、保護ガラス２３に対して正面を向いて立っている被写体に、容易に視認される。
なお、モニタ１８２は、正面視がカメラ１８の上部近傍（後述するリレーションミラー２２ｄの配置位置と略同一）に配置されていても良い。
【００３０】
その他、写真撮影装置は、図示しないが、筐体１内部の熱を外部へ放出すべく発熱源となる機器の近傍に配置されたファンを備える。また、写真撮影装置は、筐体１の前方に撮影用のスペース（以下、撮影スペースと言う）を設けるため、垂れ幕を筐体１の前方左右に備え、垂れ幕支持部材を筐体１の上部に備える。更に、写真撮影装置は、カメラ１８に対向する位置に配置された背景幕、及び筐体１の前面側へ光を照射する後部照明等を備えている。
撮影スペースは、写真撮影装置、前記垂れ幕及び前記背景幕等によって囲まれており、このため外光が遮断されている。
【００３１】
図２は、写真撮影装置のハードウェア構成を示すブロック図である。
図中１１はＣＰＵであり、ＣＰＵ１１は写真撮影装置の主制御部である。ＣＰＵ１１は、バス１０を介して装置のハードウェア各部に接続されており、ハードディスクのような不揮発性の記憶部１５に格納された制御プログラム及びデータに従って各部を制御し、各種の処理をソフトウェア的に実行し、その際に発生するデータをＲＡＭ１２に一時記憶させる。
コイン処理部１４は、コイン投入口１４１へ投入されたコインの真偽、種別及び枚数を検出し、所定の代金が投入されたことを検出した場合、検出信号をＣＰＵ１１へ送信する。ＣＰＵ１１は、検出信号を受信した場合、写真撮影処理を開始する。
【００３２】
時計部１９２は、時間データをＣＰＵ１１へ入力する。
操作ボタン１３５，１３５，…は、ユーザの命令を受け付ける手段である。例えば、ＣＰＵ１１は、ユーザの撮影命令を受け付ける操作ボタン１３５が操作された場合に撮影すると判定し、時計部１９２で計時して、所定の時間が経過したとき、撮影を指示する撮影信号をカメラ１８へ出力する。
【００３３】
カメラ１８は、ＣＣＤカメラで構成されている場合、ＣＣＤ（Ｃｈａｒｇｅ  ＣｏｕｐｌｅｄＤｅｖｉｃｅ  ）を備え、撮影信号を受信した場合、ＣＣＤに蓄積された電荷を電気信号として図示しないＡ／Ｄ変換器へ入力し、該Ａ／Ｄ変換器からデジタル信号を出力する。
前記Ａ／Ｄ変換器から出力されたデジタル信号は、カメラ１８からモニタ１８２へ無線で送信される。モニタ１８２は受信したデジタル信号を用いて映像を表示する。
この映像は、カメラ１８が撮影しているライブ映像であり、カメラ１８が撮影している映像を９個の映像に分割した映像（後述）ではない。
【００３４】
また、ＣＰＵ１１は、所定のタイミング（所定の操作ボタン１３５が操作された時点）で前記Ａ／Ｄ変換器から出力されたデジタル信号を、ＲＧＢ各成分の情報を有する映像データとしてＲＡＭ１２に記憶させ、所定の処理（例えば、前記映像データを９個の映像データに分割する処理。図５参照）を施してから記憶部１５に記憶させる。更に、ＣＰＵ１１は、記憶部１５に記憶された映像データに基づいて、操作ディスプレイ１３に映像を表示させる。
【００３５】
操作ディスプレイ１３は、液晶パネルを用いてなり各種の画像を表示するモニタ１３３と、モニタ１３３を覆うように配置されている無色透明のタッチパネル１３１と、表示プロセッサ１３４とを用いて構成されている。
表示プロセッサ１３４は、ＣＰＵ１１に制御されて、撮影手順の案内画面をモニタ１３３に表示させる。また、表示プロセッサ１３４は、内部に映像データを記憶するためのフレームバッファも有しており、フレームバッファに記憶された映像データに基づく映像をモニタ１３３に表示させる。
【００３６】
ＣＰＵ１１は、タッチパネル１３１がタブレットペン１３２の接触を検出することによって、操作ディスプレイ１３上での操作を受け付ける。この場合、ＣＰＵ１１は、例えば、ユーザがタブレットペン１３２を用いて操作ディスプレイ１３上に描いた画像のデータを受け付けたり、操作ディスプレイ１３上にソフト的に設けられた操作ボタンの操作を受け付けたりする。
【００３７】
ミラー昇降ユニット３０は、後述する電動のモータＭ及び上下方向に立設された枠体昇降レール３１，３１（図４及び図６参照）等を備え、ＣＰＵ１１に制御されてモータＭの出力軸を回転させることによって、枠体昇降レール３１，３１に取り付けられた枠体３を上下方向にスライド移動させる。即ち、枠体３に支持されている対物ミラー２１及びリレーションミラー２２は、上下方向に移動可能に設けられている。
照明部１７，１７が備えるストロボ１７ａ及びライト１７ｂ、並びに前記後部照明は、ＣＰＵ１１に点灯を夫々制御される。ストロボ１７ａ及び前記後部照明は、カメラ１８に同期して発光し、撮影の際のフラッシュとして機能する。ライト１７ｂは、前記撮影スペースを常に照明する。
【００３８】
ＣＰＵ１１は、スピーカ１９１に、コイン投入口１４１へコインを投入してからの撮影手順の進行を案内するガイダンス、及びユーザが操作ディスプレイ１３に表示されている映像を選択したり、映像に各種の編集処理を行なったりする際のガイダンス等の音声情報を出力させ、また、所定のＢＧＭを出力させる。
印刷部１６は、映像データを用いてシール紙に画像を印刷してシール形態の写真を作成し、作成したシールをシール取出口１６１へ排出する。この場合、映像データと、記憶部１５に予め記憶されている所定の前景又は背景等のデータ、及び、タブレットペン１３２でユーザが操作ディスプレイ１３に入力した画像のデータと合成することによって、面白みのある写真が作成される。
【００３９】
図３は、カメラ１８及び対物ミラー２１とリレーションミラー２２との配置を示す模式的正面図である。
対物ミラー２１は、夫々菱形の鏡を用いてなる４枚の対物ミラー２１ａ，２１ｃ，２１ｆ，２１ｈと、夫々台形の鏡を用いてなる４枚の対物ミラー２１ｂ，２１ｄ，２１ｅ，２１ｇとで構成されている。また、リレーションミラー２２は、夫々菱形の鏡を用いてなる４枚のリレーションミラー２２ａ，２２ｃ，２２ｆ，２２ｈと、夫々台形の鏡を用いてなる４枚のリレーションミラー２２ｂ，２２ｄ，２２ｅ，２２ｇとで構成されている。更に、対物ミラー２１ａ（２１ｂ，２１ｃ，…，２１ｈ）と、リレーションミラー２２ａ（２２ｂ，２２ｃ，…，２２ｈ）とは、夫々同形状の２枚一組で外部からの入射光をカメラ１８へ反射している。
【００４０】
カメラ１８と、対物ミラー２１及びリレーションミラー２２との位置関係は、正面視が、カメラ１８を中心とする仮想的な正方形の４辺及び４隅に夫々１枚のリレーションミラー２２ａ，２２ｂ，…，２２ｈが配置され、カメラ１８を中心とする前記正方形より大きい正方形の４辺及び４隅に夫々１枚の対物２１ａ，２１ｂ，…，２１ｈが配置されたようになっている。対物ミラー２１は、反射面を、所定の傾斜で保護ガラス２３側（筐体１外部側）へ向けて配置してあり、リレーションミラー２２は、反射面を、所定の傾斜でカメラ１８側（筐体２内部側）へ向けて配置してある（図４参照）。
【００４１】
前述した２つの仮想的な正方形において、４隅には、菱形の対物ミラー２１ａ，２１ｃ，２１ｆ，２１ｈ及びリレーションミラー２２ａ，２２ｃ，２２ｆ，２２ｈが夫々配置され、４辺には、台形の対物ミラー２１ｂ，２１ｄ，２１ｅ，２１ｇ及びリレーションミラー２２ｂ，２２ｄ，２２ｅ，２２ｇが配置されている。図３では、対物ミラー２１の形状を夫々示している。
写真撮影装置は、台形又は菱形のミラーを用いることによって、カメラ１８側から投影した各ミラーの形状が正方形となり、ミラーの配置が最密配置となって、撮影効率を向上している。図３では、リレーションミラー２２の正面視の形状を夫々示している。
【００４２】
なお、対物ミラー２１及びリレーションミラー２２は、カメラ１８を中心とする大小２個の同心円上に夫々配置してあっても良い。また、各ミラーは、カメラ１８側から投影した形状が、中心を円形とし、その周囲に等分割された扇形であっても良い。更に、対物ミラー２１及びリレーションミラー２２の形状は、一組毎に異なっていても良い。
【００４３】
図４は、カメラ１８、対物ミラー２１、リレーションミラー２２、及び枠体３の配置を示す平面図である。以下では、正面視がカメラ１８の左右に配置されている対物ミラー２１及びリレーションミラー２２（左側が、台形の対物ミラー２１ｂ及びリレーションミラー２２ｂ、右側が、台形の対物ミラー２１ｇ及びリレーションミラー２２ｇ）を例示する。また、図中のＬは光であり、光Ｌの光軸を示している。
カメラ１８は、入射光を集光するための集光レンズ１８１を前面に備えている。筐体１の内部には、カメラ１８の集光レンズ１８１と保護ガラス２３との間に対物ミラー２１及びリレーションミラー２２が配置されており、リレーションミラー２２と保護ガラス２３との間に、集光レンズ１８１に対向して凹レンズ２４が配置されている。
【００４４】
ミラー昇降ユニット３０（図２参照）が備える枠体昇降レール３１，３１は、例えばボールベアリングを用いたスライドレールを用いてなり、上下方向に立設されている。各枠体昇降レール３１は、コの字状の断面形状を有し、内部にボールベアリングを備える外側レール３１ｂと、外側レール３１ｂより小さいコの字状の断面形状を有する内側レール３１ａとで構成されている。枠体昇降レール３１は、外側レール３１ｂが筐体１の底部に固定され、内側レール３１ａが外側レール３１ｂの内側に遊嵌されて、ボールベアリングに接触し、上下方向に摺動するよう構成されている。
内側レール３１ａ，３１ａは、枠体３の左右部分を構成しており、枠体３は、４本の棒状部材を正方形状に配置してなる支持部材３２を備える（図６参照）。
【００４５】
対物ミラー２１は、保護ガラス２３（被写体Ｕ）に対して約４５°〜６０°に傾斜して内側レール３１ａに取り付けられている。また、リレーションミラー２２は支持部材３２に取り付けられており、凹レンズ２４は、支持部材３２の開口部中央に配置されて、支持部材３２に取り付けられている。
なお、対物ミラー２１とリレーションミラー２２とを全て筐体１の内部に配置するのではなく、対物ミラー２１を筐体１の外部に、被写体Ｕの周囲を取り囲むように配置し、リレーションミラー２２を筐体１の内部に、カメラ１８を取り囲むように配置しても良い。この場合、カメラ１８が被写体Ｕの正面に相対したとき、対物ミラー２１が被写体Ｕの側面又は背面等に相対し、カメラ１８と対物ミラー２１との間にリレーションミラー２２が介在する。
【００４６】
筐体１の外部である撮影スペースに、ユーザである被写体Ｕが、保護ガラス２３に対して正面を向いて立った場合、被写体Ｕとカメラ１８とが凹レンズ２４を介して相対する。このとき、カメラ１８には、被写体の真正面に反射した光Ｌが、凹レンズ２４を透過して入射する。また、対物ミラー２１には、被写体の側面に反射した光Ｌが入射し、この光Ｌが対物ミラー２１で反射されてリレーションミラー２２へ入射し、この光Ｌがリレーションミラー２２で反射されてカメラ１８へ入射する。
【００４７】
即ち、対物ミラー２１及びリレーションミラー２２の反射光（光Ｌ）がカメラ１８へ入射するようカメラ１８及び各ミラー配置してあり、カメラ１８には、被写体Ｕの正面及び側面等の情報を有する光Ｌが入射するため、カメラ１８は、前記光を受光して、被写体の正面及び側面の情報を有する映像を撮影する。
このようにして、写真撮影装置は、１個のカメラ１８が１回だけ撮影することによって、複数のカメラアングルに対応する映像を含む映像を、同一のタイミングで撮影する。
【００４８】
なお、凹レンズ２４を配置しない場合、カメラ１８へ直接的に入射する入射光の光路長は、対物ミラー２１及びリレーションミラー２２に反射してカメラ１８へ入射する反射光の光路長より短いため、前記入射光に対応する映像が、前記反射光に対応する映像より大きく映ってしまう。即ち、凹レンズ２４は、カメラ１８が、入射した光に夫々対応する映像を略同じ大きさに撮影するよう結像を調整している。
また、リレーションミラー２２とカメラ１８との間の距離は、できるだけ短く設ける方が好ましい。この場合、リレーションミラー２２の面積より投影面積が大きい被写体をカメラ１８で撮影することができる。
【００４９】
図５は、操作ディスプレイ１３に表示される映像の一例を示す模式図である。対物ミラー２１及びリレーションミラー２２の反射光及び凹レンズ２４を透過した入射光によって、カメラ１８は、９方向のカメラアングルの映像が含まれている映像を撮影する。この場合、９方向のカメラアングルの映像とは、凹レンズ２４を透過して撮影された被写体Ｕの真正面像と、８組の対物ミラー２１及びリレーションミラー２２を介して撮影された被写体Ｕの俯角正面像及び仰角正面像、並びに左右夫々の俯角側面像、水平側面像、及び仰角側面像とである。
【００５０】
ＣＰＵ１１は、カメラ１８が撮影した９方向のカメラアングルの映像を含む１個の映像を、前記９方向のカメラアングルに応じた９個の映像に分割する。この場合、ＣＰＵ１１は、前記１個の映像の映像データをＲＡＭ１２に記憶させ、記憶部１５に記憶されている制御プログラム及びデータに従って、前記９個の映像に分割することによって、映像分割手段として機能する。
【００５１】
映像を分割する場合、ＣＰＵ１１は、９方向のカメラアングルの映像が含まれている映像の特徴を、該映像の映像データを調査（例えばエッジを検出、又は所定の基準パターンと比較等）することによって、リレーションミラー２２の縁に相当する部分を８枚分検出する。次いで、この縁に夫々囲まれている各領域内の映像データと、該映像データの元の映像データに対する位置とを検出し、また、ＣＰＵ１１は、この８個の領域に囲まれている領域内の映像データを検出する。更に、ＣＰＵ１１は、以上のようにして検出した９個の領域の映像データを、該映像データの元の映像データに対する位置と対応させて、被写体Ｕの俯角正面像、真正面像、及び仰角正面像、並びに左右夫々の俯角側面像、水平側面像、及び仰角側面像の映像データとして夫々記憶部１５の９個の記憶領域に記憶させる。
【００５２】
また、ＣＰＵ１１は、分割された９個の映像夫々の映像データを記憶部１５から読み出して、表示プロセッサ１３４が有するフレームバッファの９個の記憶領域に夫々記憶させ、表示プロセッサ１３４を制御し、前記映像データに基づく映像をモニタ１３３（即ち映像表示手段である操作ディスプレイ１３）に表示させる（図５）。
前記９個の記憶領域は、操作ディスプレイ１３の表示領域を３行３列の方形配置に９分割してなる表示領域１３ａ，１３ｂ，…，１３ｉに夫々対応しており、操作ディスプレイ１３には、各記憶領域に記憶された映像データに基づいて、９方向のカメラアングルに対応する各映像が表示される。
【００５３】
操作ディスプレイ１３の左列上部の表示領域１３ａには、対物ミラー２１ａ及びリレーションミラー２２ａを介して撮影された俯角右側面像が表示され、左列中部の表示領域１３ｂには、対物ミラー２１ｂ及びリレーションミラー２２ｂを介して撮影された水平右側面像が表示され、左列下部の表示領域１３ｃには、対物ミラー２１ｃ及びリレーションミラー２２ｃを介して撮影された仰角右側面像が表示される。
同様にして、中央列上部の表示領域１３ｄには、対物ミラー２１ｄ及びリレーションミラー２２ｄを介して撮影された俯角正面像が表示され、中央列中央部の表示領域１３ｉには、凹レンズ２４を透過して撮影された真正面像が表示され、中央列下部の表示領域１３ｅには、対物ミラー２１ｅ及びリレーションミラー２２ｅを介して撮影された仰角正面像が表示される。
【００５４】
同様にして、右列上部の表示領域１３ｆには、対物ミラー２１ｆ及びリレーションミラー２２ｆを介して撮影された俯角左側面像が表示され、右列中央部の表示領域１３ｇには、対物ミラー２１ｇ及びリレーションミラー２２ｇを介して撮影された水平左側面像が表示され、右列下部の表示領域１３ｈには、対物ミラー２１ｈ及びリレーションミラー２２ｈを介して撮影された仰角左側面像が表示される。
【００５５】
ＣＰＵ１１は、分割された９個の映像の内、１又は複数の映像をユーザに選択させることによって、印刷部１６でシール形態の写真となすべき１又は複数の映像を選択する選択手段として機能する。この場合、ＣＰＵ１１は、操作ディスプレイ１３に表示させた文字、又はスピーカ１９１に出力させた音声でユーザに対して映像の選択を行なうよう依頼する。このとき、ユーザは操作ボタン１３５又はタブレットペン１３２を用い、操作ディスプレイ１３上で所望する映像を選択する。
【００５６】
操作ディスプレイ１３において、まだ選択されていない映像は、例えば表示領域の周縁部が黄色で表示される。また、現在選択されている映像は、表示領域の周縁部が赤色で表示される。また、選択が決定された映像は、表示領域の周縁部が青色で表示される。ユーザは、表示領域の周縁部の色を視認して選択しているか否か、又は決定しているか否かを判断し、所望する全ての映像を選択して、選択終了を命令するための操作ボタン１３５を操作する。
ＣＰＵ１１は、操作ディスプレイ１３にてユーザが選択した映像に対応する映像データを、記憶部１５の対応する記憶領域から読み出し、読み出した映像データを用いて、印刷部１６にシール形態の写真を作成させる。
【００５７】
なお、分割された各映像は、画像が少し粗くなるのを許容するならば、ソフト的に３００％程度まで拡大可能なため、写真として印刷する場合に、適宜のサイズに拡大しても良い。
以上のようにして、本実施の形態の写真撮影装置は、９方向のカメラアングルで撮影する９画面撮影を実行する。
【００５８】
図６は、対物ミラー２１、リレーションミラー２２、枠体３及び枠体昇降レール３１の配置を示す正面図である。
９画面撮影は、カメラ１８の画素を９分割して９方向のカメラアングルの映像を撮影するため、各映像に対応する画素は、全画素の１／９以下である。例えば、２７００×２１００ドットの解像度を有するカメラ１８で９画面撮影を実行する場合、９分割された各映像は、９００×７００ドットの解像度となる。該解像度は、シール自販機で販売されるシールの解像度としては充分であるが、ユーザが真正面像のみの写真を所望している場合、他のカメラアングルの映像に使用された画素が無駄になる。
【００５９】
このため、本実施の形態の写真撮影装置は、ユーザが、真正面画像のみの写真を所望している場合、９画面撮影を１方向（真正面）のカメラアングルで撮影する通常撮影に切り替えることによって、カメラ１８の全画素を用いて高解像度の映像を撮影し、写真の品質を向上している。
９画面撮影を通常撮影に切り替える場合、写真撮影装置は、カメラ１８の撮影可能な空間（以下、カメラ１８の視界と言う）内から、リレーションミラー２２及び凹レンズ２４、並びに対物ミラー２１を視界外へ移動させる。同様に、通常撮影を９画面撮影に切り替える場合、写真撮影装置は、カメラ１８の視界外から、リレーションミラー２２及び凹レンズ２４、並びに対物ミラー２１を視界内へ移動させる。
【００６０】
カメラ１８の視界内は、筐体１の筐体上部であり、視界外は、例えば筐体下部である。
対物ミラー２１、リレーションミラー２２及び凹レンズ２４は、図６に示すように、枠体３に支持されている。この枠体３を筐体１の筐体上部（カメラ１８の視界内）から筐体下部（カメラ１８の視界外）へ、又は筐体下部から筐体上部へ、ＣＰＵ１１がミラー昇降ユニット３０（図２参照）を制御して昇降させることによって、リレーションミラー２２及び凹レンズ２４、並びに対物ミラー２１は、カメラ１８の視界内外へ移動する。
【００６１】
枠体３は、枠体３の左右部分を構成する内側レール３１ａ，３１ａの上下端に夫々梁状部材３３，３３を渡してあり、梁状部材３３，３３に、放射状に配置された４本の棒ステー３４，３４，…を備える。この棒ステー３４，３４，…は、各ミラー又はカメラ１８へ入射する光の光路を遮らない位置に配置されている。また、中央に開口部を有する正方形の支持部材３２（図４参照）は、棒ステー３４，３４，…によって、梁状部材３３，３３と内側レール３１ａ，３１ａとに囲まれた矩形の領域の中央部に固定されている。更に、８枚のリレーションミラー２２と凹レンズ２４は、支持部材３２の４隅及び４辺と開口部とに配置されて取り付けられており、左右夫々の縦一列に配置された３枚の対物ミラー２１は、内側レール３１ａ，３１ａに取り付けられ、中央２枚の対物ミラー２１は、梁状部材３３，３３に夫々取り付けられている。
【００６２】
筐体１内部の上端中央部には、電動のモータＭが、出力軸を、筐体１の前後方向に水平にして固定されており、該出力軸に、ベルト３７，３７を巻き取るための巻取部３６が連接されている。また、筐体１内部の上端左右側部には、ベルト３７，３７を案内する円柱状のガイド体３８，３８が、その軸方向を、筐体１の前後方向に水平にして、巻取部３６より高い位置に固定されている。
各ベルト３７は、一端が巻取部３６に巻き取られ、中央部がガイド体３８の周面上側に接触して、他端が内側レール３１ａの上端部に固定されている。
【００６３】
ミラー昇降ユニット３０は、ＣＰＵ１１に制御されてモータＭを回転させる。この場合、モータＭが一方向に回転することによって、巻取部３６が図中の実線矢符方向に回転し、ベルト３７，３７が実線矢符方向へ移動する。このとき、ベルト３７，３７は巻取部３６に巻き取られ、巻取部３６に巻き取られていない部分の長さが短くなるため、内側レール３１ａ，３１ａに対し、上方向（実線白抜矢符方向）への移動力を発生させる。このとき、内側レール３１ａ，３１ａは、外側レール３１ｂ，３１ｂに沿って、上方向に直線的に摺動（上昇）する。
【００６４】
また、モータＭが他方向に回転することによって、巻取部３６が図中の破線矢符方向に回転し、ベルト３７，３７が破線矢符方向へ移動する。このとき、ベルト３７，３７は巻取部３６から繰り出され、巻取部３６に巻き取られていない部分の長さが長くなるため、内側レール３１ａ，３１ａに対し、下方向（破線白抜矢符方向）への移動力を発生させる。このとき、内側レール３１ａ，３１ａは、外側レール３１ｂ，３１ｂに沿って、下方向に直線的に摺動（下降）する。
【００６５】
以上のようにして、内側レール３１ａ，３１ａが昇降することによって、内側レール３１ａ，３１ａに取り付けられている梁状部材３３，３３、棒ステー３４，３４，…、及び支持部材３２も昇降し、更に、内側レール３１ａ，３１ａ、梁状部材３３，３３、及び支持部材３２に取り付けられている対物ミラー２１、リレーションミラー２２、及び凹レンズ２４も昇降する。
なお、各ミラー及び凹レンズ２４を、カメラ１８の視界内外へ個別に移動させる構成であっても良い。また、対物ミラー２１をそのままに、リレーションミラー２２及び凹レンズ２４を移動させる構成であっても良い。
【００６６】
図７は、ＣＰＵ１１の写真撮影処理手順を示すフローチャートである。
まず、ＣＰＵ１１は、所定料金が投入されたか否かを判定し（Ｓ１０）、投入されていない場合は（Ｓ１０でＮＯ）、投入されるまで待機する。
所定料金が投入されたか否かを判定する場合、ＣＰＵ１１は、コイン処理部１４から送信された検出信号を受信したか否かを判定し、該検出信号を受信したとき、所定料金が投入されたと判定し（Ｓ１０でＹＥＳ）、操作ディスプレイ１３及び／又はスピーカ１９１を制御し、文字情報又は音声情報で、ユーザに対する操作説明を行なう（Ｓ１１）。このとき、ＣＰＵ１１は、通常撮影を行なうか９画面撮影を行なうかを選択して、所望の撮影形態に対応する操作ボタン１３５を操作するようユーザに対して依頼する操作説明を行なう。
【００６７】
更に、ＣＰＵ１１は、カメラ１８のライブ映像を、モニタ１８２に表示させる（Ｓ１２）。このとき表示されるライブ映像は、枠体３の位置によって異なる。即ち、枠体３が筐体１の筐体上部に位置する場合、ライブ映像は、９方向のカメラアングルの映像を含む映像であり、枠体３が筐体１の筐体下部に位置する場合、ライブ映像は、１方向（真正面）のカメラアングルの映像である。
被写体であるユーザは、モニタ１８２の映像を視認することによって、目線を逸らしたりポーズを崩したりすることなく、９方向又は真正面のカメラアングルから捉えた自分自身のポーズを確認することができる。
【００６８】
ＣＰＵ１１は、通常撮影を行なうか９画面撮影を行なうかの選択を受け付け（Ｓ１３）、ユーザの通常撮影実行命令に対応する操作ボタン１３５が操作された場合（Ｓ１３で通常）、通常撮影を実行し、９画面撮影実行命令に対応する操作ボタン１３５が操作された場合（Ｓ１３で９画面）、９画面撮影を実行する。
通常撮影を実行する場合、ＣＰＵ１１は、枠体３が筐体下部、即ちカメラ１８の視界外に位置しているか否かを判定し（Ｓ１４）、位置していない場合は（Ｓ１４でＮＯ）、ミラー昇降ユニット３０を制御して、枠体３を筐体下部へ移動させる（Ｓ１５）。
【００６９】
枠体３が筐体下部に位置している場合（Ｓ１４でＹＥＳ）、又は、Ｓ１５にて、枠体３の筐体下部への移動が終了した場合、ＣＰＵ１１は、通常撮影処理を行なう（Ｓ１６）。
この通常撮影処理では、ＣＰＵ１１は、公知のシール自販機と同様にして、被写体Ｕの真正面像を撮影し、撮影された映像に、適宜の修飾、及び前景又は背景等を付加して、印刷すべき映像の映像データを生成する。
【００７０】
９画面撮影を実行する場合、ＣＰＵ１１は、枠体３が筐体上部、即ちカメラ１８の視界内の定位置に位置しているか否かを判定し（Ｓ１７）、位置していない場合は（Ｓ１７でＮＯ）、ミラー昇降ユニット３０を制御して、枠体３を筐体上部の定位置へ移動させる（Ｓ１８）。
【００７１】
枠体３が筐体上部に位置している場合（Ｓ１７でＹＥＳ）、又は、Ｓ１８にて、枠体３の筐体上部への移動が終了した場合、ＣＰＵ１１は、９画面撮影処理のサブルーチン（図８参照）を実行する（Ｓ１９）。
この９画面撮影処理では、ＣＰＵ１１は、９方向のカメラアングルに対応する被写体Ｕの映像を撮影し、次いで、撮影した映像を９分割し、分割された映像の内、１又は複数の映像を選択し、更に、選択された映像に、適宜の修飾、及び前景又は背景等を付加して、印刷すべき映像の映像データを生成する。
【００７２】
Ｓ１６の通常撮影処理又はＳ１９の９画面撮影処理が終了した場合、ＣＰＵ１１は、各処理で生成された映像データに基づいて、印刷部１６を制御してシール紙に写真を作成し、シール取出口１６１へ排出することによって、シール状の写真をプリントアウトして（Ｓ２１）、処理をＳ１１へ戻す。
【００７３】
図８は、ＣＰＵ１１の９画面撮影処理手順を示すフローチャートである。
ＣＰＵ１１は、操作ディスプレイ１３及び／又はスピーカ１９１を制御し、文字情報又は音声情報で、ユーザに対する操作説明を行なう（Ｓ３１）。このとき、ＣＰＵ１１は、撮影スペースでモニタ１８２を確認しながら所望のポーズを取って、所定の操作ボタン１３５（ユーザの撮影命令を受け付ける操作ボタン１３５。以下、撮影ボタンと言う）を操作するようユーザに対して依頼する操作説明を行なう。
【００７４】
ＣＰＵ１１は、撮影するか否かを判定する（Ｓ３２）。この場合、ＣＰＵ１１は、撮影ボタンの操作を受け付けて、撮影ボタンが操作されたか否かを判定することによって撮影するか否かを判定し、操作されていない場合は撮影しないと判断して（Ｓ３２でＮＯ）、撮影ボタンが操作されるまで待機する。
なお、Ｓ３１の操作説明の実行後、時計部１９２を用いて経過時間を計時し、所定の時間が経過した場合は、撮影ボタンが操作されていない場合であっても、撮影すると判定するよう構成しても良い。
【００７５】
撮影ボタンが操作された場合、ＣＰＵ１１は、映像を撮影すると判定し（Ｓ３２でＹＥＳ）、カメラ１８を制御して撮影を行ない、撮影した映像の映像データをＲＡＭ１２に記憶させる（Ｓ３３）。このような撮影の際、ＣＰＵ１１は、操作ボタン１３５が操作された時点からの経過時間を時計部１９２で計時すると共に、経過時間に応じてスピーカ１９１からカウントダウンを報知する音声情報を出力させ、所定の時間が経過したとき、カメラ１８を制御して撮影を行なう。
ＣＰＵ１１は、ＲＡＭ１２に記憶させた映像データに所定の映像処理を施して前記映像を９分割し（Ｓ３４）、記憶部１５に記憶させる。更に、ＣＰＵ１１は、９分割した映像の映像データ夫々に基づいて、操作ディスプレイ１３に、９分割された映像を表示させる（Ｓ３５）。
【００７６】
ＣＰＵ１１は、１又は複数の映像を選択するようユーザに対して操作説明することによって、１又は複数の映像の選択を受け付ける（Ｓ３６）。また、選択した映像を適宜に修飾（いわゆる「お絵かき」）したり前景又は背景等を決定したりするようユーザに対して操作説明することによって、修飾データを受け付ける（Ｓ３７）。このとき受け付ける修飾データは、記憶部１５に予め記憶されている所定の前景又は背景等のデータの中からユーザが選んだ前景又は背景等のデータ、及び、タブレットペン１３２でユーザが操作ディスプレイ１３に入力した画像のデータである。また、受け付けた修飾データは、該修飾データに対応する映像のデータと関連付けて、ＲＡＭ１２に記憶され、また、操作ディスプレイ１３に表示される映像にも反映される。
【００７７】
更にＣＰＵ１１は、Ｓ３６で選択され、Ｓ３７で修飾されることによってユーザの所望通りに編集された映像を操作ディスプレイ１３に表示させ（Ｓ３８）、同時的に、印刷するか否かを判定する（Ｓ３９）。この場合、ＣＰＵ１１は、所定の操作ボタン１３５（ユーザの印刷命令を受け付ける操作ボタン１３５。以下、印刷ボタンと言う）を操作するようユーザに対して依頼し、印刷ボタンが操作された場合に印刷すると判定し、操作されない場合に印刷しないと判定する。
なお、Ｓ３５で９分割された映像を表示した後、時計部１９２を用いて経過時間を計時し、所定の時間が経過した場合は、印刷ボタンが操作されていない場合であっても、印刷すると判定するよう構成しても良い。
【００７８】
まだ印刷を行なわない場合（Ｓ３９でＮＯ）、ＣＰＵ１１は、処理をＳ３６へ戻す。
印刷する場合（Ｓ３９でＹＥＳ）、ＣＰＵ１１は、Ｓ３８で操作ディスプレイ１３に選択表示されている映像の映像データ、即ち、印刷すると判断した時点で、記憶部１５に記憶されている９個の映像データの内、ユーザが選択した映像に対応する映像データ、及び該映像データに関連付けてＲＡＭ１２に記憶されている修飾データを、印刷すべき映像の映像データとして記憶し（Ｓ４０）、本サブルーチンを終了する。
【００７９】
以上のような写真撮影装置は、一般にシール自販機に備えられる高価なカメラを複数（この場合、９台）備えることなく、１台のカメラ１８と、８方向のカメラアングルに対応する対物ミラー２１及びリレーションミラー２２とを備えることによって、安価で単純な構成で、９方向のカメラアングルに対応する映像を撮影し、シール状の写真として出力している。
また、９方向から同時に被写体Ｕを撮影するため、撮影時間が短時間である。また、被写体Ｕの１回のポーズが９方向のカメラアングルで撮影することによって、出力された写真の面白みを向上している。更に、ユーザに所望の映像を選択させることによって、ユーザが気に入った映像のみを写真として出力し、ユーザの満足度を向上している。
【００８０】
更に、保護ガラス２３は、ユーザが勝手に筐体１内部の各部に触れることを防止しており、例えば各ミラーの位置又は向き等が変更されて、所定のカメラアングルでの撮影が不可能になることを防止している。
【００８１】
なお、カメラ１８が撮影した９方向のカメラアングルの映像を含む１個の映像を、分割せずに表示したり写真として出力したりしても良い。この場合、通常のカメラアングルでは得られない面白みのある写真をユーザに対し提供することができる。
また、本実施の形態の写真撮影装置は、同時に９方向のカメラアングルで撮影するが、１０方向以上又は８方向以下のカメラアングルで撮影するよう構成しても良い。また、各ミラーの位置又は傾きを個々に変更可能に設け、撮影するカメラアングルをユーザが決定できるよう構成しても良い。
更に、本実施の形態の写真撮影装置は電動のモータを用いて各ミラーを移動させているが、ユーザが手動で各ミラーを移動させるよう構成しても良い。
【００８２】
【発明の効果】
本発明の写真撮影装置によれば、撮影手段として、例えばカメラを１台だけ用いる場合であっても、反射手段として鏡を用いることにより、複数のカメラアングルで写真を撮影するときに、複数のカメラ、又はカメラを移動させる機構等が不要であり、簡単な構造で、写真撮影装置を構成することができる。このため、複数のカメラアングルで写真を撮影する写真撮影装置のコストを低減することができる。
また、カメラを移動させたり、カメラに対する被写体のアングルを変更したりする必要がなく、複数のカメラアングルでの写真撮影を同一のタイミングで行なうことができるため、写真撮影の時間が短縮でき、ユーザの写真撮影作業が簡便になる。このため、ユーザの利便性を向上することができる。
【００８３】
また、複数のカメラアングルで撮影した映像を映像表示手段に表示し、所望する映像をユーザに選択させ、選択された画像のみ写真として出力することによって、ユーザに複雑な操作を強いることなく、所望されている写真のみをユーザに提供することができ、ユーザの満足度を向上させることができる。
また、反射手段を移動させることによって、複数のカメラアングルでの写真撮影と単数のカメラアングルでの写真撮影とを行なうことができ、ユーザの要望に応じて各種の写真撮影が切換可能である。
更に、撮影手段で撮影している映像（ライブ映像）を表示することによって、被写体又はユーザが容易にポーズ確認できるため、写真撮影の失敗を防止できる等、本発明は優れた効果を奏する。
【図面の簡単な説明】
【図１】本発明の写真撮影装置の外観を示す斜視図である。
【図２】本発明の写真撮影装置のハードウェア構成を示すブロック図である。
【図３】本発明の写真撮影装置が備えるカメラ及びミラーの配置を示す模式的正面図である。
【図４】本発明の写真撮影装置が備えるカメラ、ミラー及び枠体の配置を示す平面図である。
【図５】本発明の写真撮影装置が備える操作ディスプレイに表示される映像の一例を示す模式図である。
【図６】本発明の写真撮影装置が備えるミラー、枠体及び枠体昇降レールの配置を示す正面図である。
【図７】本発明の写真撮影装置が備えるＣＰＵの写真撮影処理手順を示すフローチャートである。
【図８】本発明の写真撮影装置が備えるＣＰＵの９画面撮影処理手順を示すフローチャートである。
【符号の説明】
１１  ＣＰＵ
１３  操作ディスプレイ
１３２  タブレットペン
１３５  操作ボタン
１８  カメラ
１８２  モニタ
２１  対物ミラー
２２  リレーションミラー
３  枠体
３０  ミラー昇降ユニット
３１  枠体昇降レール
Ｍ  モータ
【図１】
2004165892.tif 000003
【図２】
2004165892.tif 000004
【図３】
2004165892.tif 000005
【図４】
2004165892.tif 000006
【図５】
2004165892.tif 000007
【図６】
2004165892.tif 000008
【図７】
2004165892.tif 000009
【図８】
2004165892.tif 000010